(57)【特許請求の範囲】
【請求項１】
上面板部（１１）と前面板部又は後面板部とを有するＬ字形カバー（１）と、前記上面板部に上端部が脱着可能な後面板部又は前面板部を有するＩ字形カバー（４）と、前記Ｌ字形カバーと前記Ｉ字形カバーの間に入る上面板部（１５）を有する上レール（２）とからなり、前記Ｌ字形カバーはその上面板部（１１）に下から通した短止めねじ（１３）により上枠（７）に固定され、前記上レールはその上面板部（１５）に下から通した長止めねじ（１４）により前記上枠に固定され、前記Ｌ字形カバー上面板部と前記上レール上面板部の間にスペーサ（３）を配設して前記Ｌ字形カバーと前記上レールの相対的上下位置を規定したことを特徴とする折れ戸の上部構造。
【請求項２】
Ｌ字形カバー（１）の上面板部（１１）に上面突条（１２）を形成し、前記上面突条に弾性体のブッシュ（５）を掛け止めし、前記ブッシュと前記上面板部の間にＩ字形カバー（４）の上端に形成した上端突条（９）をはめ込んで前記Ｉ字形カバーを前記Ｌ字形カバーに脱着自在に取り付けたことを特徴とする請求項１記載の折れ戸の上部構造。
【請求項３】
スペーサ（３）は長止めねじ（１４）に遊嵌可能な半径方向の溝（１７）を有する円筒体であることを特徴とする請求項１記載の折れ戸の上部構造。
【請求項４】
スペーサ（３）は上下に貫通する半径方向の溝（１７）と周方向と上下方向に並ぶ多数の円弧穴を有する合成樹脂製円筒体のスペーサ材（１０）から切り出してなることを特徴とする請求項３記載の折れ戸の上部構造。
【発明の詳細な説明】
【０００１】
【発明の属する技術分野】
本発明は複数のパネルを折りたたみ自在に連結してなる折れ戸の上部構造に関する。
【０００２】
【従来の技術】
建物の開口部には、開口部の上下寸法よりも少し小さい上下寸法の折れ戸を設置する。従来の折れ戸の上部構造は上レールのみからなり、上下寸法を調整することができなかったので、開口部と折れ戸の上下の間隙は開口部に固定する上枠の上下寸法を調整しなければならなかった。
【０００３】
【発明が解決しようとする課題】
上枠を建物の開口部と折れ戸の双方に合わせる加工費用は比較的大きいため、既設の上枠の上下寸法を調整せずに設置することができる構造の折れ戸が要望されていた。
本発明はこの要望に応じるためのものであり、その課題は、既設の上枠に合わせて上下寸法を調整することができる折れ戸の上部構造を提供することにある。
【０００４】
【課題を解決するための手段】
前記課題を達成するため、本発明が採用する手段は、折れ戸の上レールにカバーを付設し、上レールとカバーを共に上枠に止めねじで固定し、上レールとカバーの間にスペーサを配置して両者の相対的な上下位置を規定した上部構造にある。
【０００５】
カバーは上面板部と前面板部又は後面板部を有するＬ字形カバーと、後面板又は前面板のみのＩ字形カバーとから形成し、Ｌ字形カバーは上面板部に下から通した短止めねじにより上枠に固定し、Ｉ字形カバーはＬ字形カバーに脱着自在に固定する。上レールは底板部の中央が開口する角管であり、その上面板部に下から通した長止めにじにより上枠に固定する。Ｌ字形カバーの上面板部と上レールの上面板部の間に介在するスペーサに上下に貫通する溝を形成し、その溝を長止めねじにはめ込むことが望ましい。
【０００６】
【発明の実施の形態】
本発明を図面に示す実施例に基づいて説明する。
図１は本発明実施例を備えた折れ戸の正面図、図２は図１の上レールの断面図、図３はスペーサの斜視図、図４は上レールを上枠に固定する工程を示す図、図５は少し斜めになった上枠７に設置した折れ戸の正面図、
図１に示すように、建物等の開口部に既設の上枠７が固定され、その上枠７にＬ字形カバー１と上レール２がそれぞれ固定される。上レール２には複数のパネルを折りたたみ自在に連結してなる折れ戸６の上ランナを移動自在に入れ、床面に設けた下レール８には折れ戸６の下ランナを同じく移動自在に入れる。
【０００７】
図２に示すように、上レール２の上には上面板部１１と前面板部からなる横断面Ｌ字形のＬ字形カバー１と、後面板部のみのＩ字形カバー４があり、Ｌ字形カバー１は上面板部１１の下から通した短止めねじ１３により上枠７に固定される。Ｉ字形カバー４はＬ字形カバー１の上面突条１２に掛け止めしたブッシュ５と上面板部１１の上面の間に、上端突条９を弾性的にはめ込んでＬ字形カバー１に脱着可能に固定する。上レール２は底面板部にスリットがある角管体であり、上面板部１５に下から通した長止めねじ１４により上枠７に固定する。Ｌ字形カバー１とＩ字形カバー４の前後面板部の下端は上レール２の前後外面に接する。Ｌ字形カバー１と上レール２の相対的な上下位置は、Ｌ字形カバー１の上面板部１１の下面と上レール２の上面板部１５の上面の間に介在するスペーサ３によって決定する。
【０００８】
スペーサ３は、図３に示す合成樹脂成形品のスペーサ材１０を切断したものである。スペーサ材１０は中空円筒形であり、円弧穴１６が周面方向及び上下方向に並列し、軸心を含む半径方向の溝１７が上下に貫通する。このスペーサ材１０から、鋸で簡単に所望の上下寸法を有する図２のスペーサ３を切り出すことができる。
【０００９】
図４（ａ）に矢印で示すように、始めにＬ字形カバー１を短止めねじ１３で上枠７に固定する。次に図４（ｂ）に矢印で示すように、上レール２を長止めねじ１４で上枠７に床面から所定の高さになるように固定する。所定の高さが不明なときは、上レール２の上面板部１５がＬ字形カバー１の上面板部１１に当たるまで長止めねじ１４をしめ込み、図４（ｃ）に示すように、折れ戸６の上ランナ１８をはめ込んだ後に、長止めねじ１４をゆるめて折れ戸６が適正な姿勢になる所定の高さまで上レール２を下げる。
【００１０】
次に、上下の高さが所定の高さになった上レール２の上面板部１５の上面とＬ字形カバー１の上面板部１１の下面との間隙の長さに等しいスペーサ３を、図３のスペーサ部材１０から切り出し、矢印で示すように、そのスペーサ３をＬ字形カバー１と上レール２の間に入れる。このとき、一度、長止めねじ１４を少しゆるめて、上レール２を下げる。そこで、スペーサ３を入れてその溝を長止めねじ１４にはめた後に再び長止めねじ１４をしめ込む。最後に、図４（ｄ）に示すように、Ｉ字形カバー４の上端突条９を、Ｌ字形カバー１の上面突条１２に掛け止めした弾性体のブッシュ５とＬ字形カバー１の上面板部１１の上面の間にはめ込んで、Ｉ字形カバー４をＬ字形カバー１に弾性的に脱着自在に固定する。
【００１１】
図５に示すように、本発明の上部構造は、上枠７が少し傾斜していても、支障なく折れ戸６を設置することができる。この場合、Ｌ字形カバー１と上レール２の相対的上下位置は折れ戸６の左側より右側が高くなるから、Ｌ字形カバー１と上レール２の間に介在するスペーサの上下寸法は、右側のものが左側よりも順次大きくなる。
【００１２】
【発明の効果】
上記のとおり、本発明の折れ戸の上部構造は、従来の上レールのみのものとは異なり、上レールにカバーをかぶせ、そのカバーで上枠と上レールの間の間隙を調整するようにしたから、既設の上枠を加工せずに折れ戸を設置することができるという優れた効果を奏する。そのカバーは上枠に固定するＬ字形カバーと、そのＬ字形カバーに脱着自在に固定するＩ字形カバーからなり、Ｉ字形カバーを外すと、Ｌ字形カバーと上レールの相対的上下位置を規定するスペーサを簡単にＬ字形カバーと上レールの間に配置することができるから、上部構造の上下寸法を上枠に合わせる調整は至極容易であるという格別の効果を奏する。
【図面の簡単な説明】
【図１】本発明実施例の上部構造を備えた折れ戸の正面図、
【図２】図１の上部構造の断面図、
【図３】図２のスペーサを切り出すスペーサ部材の斜視図、
【図４】図１の上部構造を上枠に固定する工程を示す図、（ａ）はＬ字形カバーを、（ｂ）は上レールを、（ｃ）はスペーサを、（ｄ）はＩ字形カバーをそれぞれ取付る工程である。
【図５】少し傾斜した上枠に設置した折れ戸の正面図、
【符号の説明】
１：Ｌ字形カバー
２：上レール
３：スペーサ
４：Ｉ字形カバー
５：ブッシュ
６：折れ戸
７：上枠
８：下レール
９：上端突条
１０：スペーサ材
１１：上面板部
１２：上面突条
１３：短止めねじ
１４：長止めねじ
１５：上面板部
１６：円弧穴
１７：溝
１８：上ランナ
【図１】
0004348660.tif 000002
【図２】
0004348660.tif 000003
【図３】
0004348660.tif 000004
【図４】
0004348660.tif 000005
【図５】
0004348660.tif 000006